(57)【特許請求の範囲】
【請求項１】
エプロンが設けられていない置き浴槽としての浴槽を浴槽載置用床パンに設置するための浴槽の取付構造であって、
浴槽載置用床パンには、浴槽の底部の形状にならった形状を有する凹状の浴槽底部収容凹部が設けられ、この浴槽底部収容凹部の上端部の周りに、浴槽底部収容凹部の底部よりも一段高い固定用段部が形成され、
浴槽には、浴槽壁部の外壁の下方側がその全周に亘って内側にくぼんで、前記固定用段部と相補形状をなす段部が形成され、
浴槽の底部が前記浴槽底部収容凹部に入り込んだ状態において、前記段部が前記固定用段部の上側に嵌合し、浴槽の底部を除く、エプロンが設けられていない浴槽壁部の外壁が露出して浴槽が浴室載置用床パンに取り付けられることを特徴とする浴槽の取付構造。
【請求項２】
前記段部に、前記固定用段部と密着するパッキンを設けたことを特徴とする請求項１に記載の浴槽の取付構造。
【請求項３】
前記パッキンが中空であり且つ断面が略三角形状であることを特徴とする請求項２に記載の浴槽の取付構造。
【発明の詳細な説明】
【技術分野】
【０００１】
本願発明は、ユニットバスルームにおける浴槽の取付構造に関するものである。
【背景技術】
【０００２】
従来、浴槽エプロンを設置しないタイプの浴槽として、図４に示すような置き浴槽４１がある。この種の置き浴槽４１は、ユニットバスルームの床４２に単に載置するだけで入浴が可能となることから、簡易な入浴設備として利用されてきた。このような置き浴槽４１は、浴槽本体の下方に脚部４３を備え、この脚部４３により浴槽本体の支持を行っており、置き浴槽４１を壁４４の近くに配置し、壁４４又は床４２から給水給湯管を立ち上げて、浴槽壁部４５に設けた給水給湯接続部に接続配管を介して接続し、湯水噴出部４６から給水、給湯を行っている。
【発明の開示】
【発明が解決しようとする課題】
【０００３】
しかしながら、上記のような構造の置き浴槽４１では、床４２に対し浴槽本体を脚部４３により支持しているため、またぎ込み量が高くなり、年配者や子供などにとっては置き浴槽４１に入りづらいという問題があった。また、床４２に単に置き浴槽４１を単独で載置するだけの不安定な状態であったため、安全面での課題を有していた。
【０００４】
そこで、本願発明は、以上のとおりの事情に鑑みてなされたもので、浴槽内の形状はそのままとしてもまたぎ込み量を少なくすることができ、浴槽に入りやすく、しかも安全性が向上した浴槽の取付構造を提供することを課題とする。
【課題を解決するための手段】
【０００５】
本願発明は、上記課題を解決するため、第１には、エプロンが設けられていない置き浴槽としての浴槽を浴槽載置用床パンに設置するための浴槽の取付構造であって、浴槽載置用床パンには、浴槽の底部の形状にならった形状を有する凹状の浴槽底部収容凹部が設けられ、この浴槽底部収容凹部の上端部の周りに、浴槽底部収容凹部の底部よりも一段高い固定用段部が形成され、浴槽には、浴槽壁部の外壁の下方側がその全周に亘って内側にくぼんで、前記固定用段部と相補形状をなす段部が形成され、浴槽の底部が前記浴槽底部収容凹部に入り込んだ状態において、前記段部が前記固定用段部の上側に嵌合し、浴槽の底部を除く、エプロンが設けられていない浴槽壁部の外壁が露出して浴槽が浴室載置用床パンに取り付けられることを特徴とする。
【０００６】
また、第２には、上記第１の発明において、前記段部に、前記固定用段部と密着するパッキンを設けたことを特徴とする。
【０００７】
さらに、第３には、上記第２の発明において、前記パッキンが中空であり且つ断面が略三角形状であることを特徴とする。
【発明の効果】
【０００８】
本願請求項１の発明によれば、浴槽の外壁に設けた周方向の段部と床パンに設けた固定用段部とを嵌合固定させることにより浴槽の取付を行うようにしたので、またぎ込み量を少なくすることができ、浴槽に入りやすくなる利点がある。また、段部と固定用段部との嵌合により浴槽が取り付けられているため、安全性の向上を図ることができる。
【０００９】
本願請求項２の発明によれば、パッキンを段部と固定用段部の間に介在させたので、浴槽をより安定して設置することができる上、止水効果の向上を図ることができる。
【００１０】
本願請求項３の発明によれば、中空で断面が略三角形状のパッキンを用いることにより、浴槽の安定性及び止水効果をより一層向上させることができる。
【発明を実施するための最良の形態】
【００１１】
本願発明は上記のとおりの特徴をもつものであるが、以下にその実施の形態について説明する。
【００１２】
図１（ａ）は、本願発明の一実施形態に係る浴槽の取付構造の要部を示す断面図、図１（ｂ）は同上浴槽の取付構造の嵌合固定部分を拡大して示す断面図、図２は、同上浴槽の取付構造の全体を示す断面図、図３は、同上浴槽を設置した様子を模式的に示す斜視図である。
【００１３】
本実施形態においては、浴槽１がユニットバスルームを構成する床２に載置される。この浴槽１は浴槽エプロンを設けず、単独で床２に載置する置き浴槽である。床２は床パン構造となっており、洗い場を構成する洗い場用床パン３と浴槽１を載置する浴槽載置用床パン４とが接合されている。洗い場用床パン３と浴槽載置用床パン４には、合成樹脂や金属などの従来から使用されている各種材料を用いることができる。浴槽載置用床パン４においては浴槽１の底部の形状にならった浴槽底部収容凹部５が設けられ、浴槽底部収容凹部５の回りには固定用段部６が形成されている。一方、浴槽１の浴槽壁部７の外壁８の下方側には全周に亘って段部９が形成されている。浴槽１の段部９には全周に亘って中空で断面が略三角形状のパッキン１０が取り付けられている。そして浴槽１の底部が浴槽底部収容凹部５に入り込んだ状態で浴槽１の段部９と浴槽載置用床パン４の固定用段部６とがパッキン１０を介在させて嵌合することにより、浴槽１が位置合わせされ、取り付けられている。パッキン１０は洗い場使用者からは見えないようになっており、パッキン１０により止水性能が発揮されるとともに、浴槽１がより安定して取り付けられるようになる。また、パッキン１０を中空構造とすることにより、施工時にパッキン１０が捲れ上がることなくスムーズな設置が可能となる。パッキン１０としては、耐久性を有する合成樹脂や各種ゴムなどで作製したものを使用することができる。浴槽１の壁１１に近い方の浴槽壁部７内側には給水、給湯のための湯水噴出部１２が設けられ、外側には給水給湯接続部１３が設けられている。給水給湯接続部１３は、床２から立ち上げられた、給湯装置（不図示）の給水給湯管１４に、銅管などよりなる接続配管１５を介して接続されている。
【００１４】
上記のような構造の本実施形態によれば、床２に対して脚部による支持の代わりに、浴槽１の浴槽壁部７の外壁８に設けた周方向の段部９と浴槽載置用床パン４に設けた固定用段部６とを嵌合固定させることにより浴槽１の取付支持を行うようにしたので、またぎ込み量を少なくすることができ、浴槽１に入りやすくなる。例えば、本実施形態の浴槽１と脚部を設けた構造の浴槽（浴槽内部はともに同じ形状、寸法）とを比較した場合、脚部を設けた構造の浴槽ではまたぎ込み量が５５ｃｍあったものが、本実施形態における浴槽１ではまたぎ込み量を５０ｃｍと少なくすることができ、本実施形態における浴槽１は入りやすくなることが確認できた。また、浴槽１の安定性を高めることが確認できた。
【００１５】
また、本実施形態によれば、パッキン１０を段部９と固定用段部６の間に介在させたので、浴槽１をより安定して設置することができ、且つ止水効果の向上を図ることができる。
【００１６】
以上、本願発明を一実施形態に基づいて説明したが、もちろん本願発明は上記実施形態に限定されるものではなく、種々の変形、変更が可能である。
【００１８】
また、本願発明によれば、給水給湯系は上記実施形態で用いた構造以外の種々の構造のものとすることができる。
【００１９】
さらに、上記実施形態ではパッキンとして中空で断面が略三角形状のものを用いたが、本願発明によれば、止水性が発揮でき且つ浴槽１をより安定的に取り付けることができるものであればこれに限定されない。
【図面の簡単な説明】
【００２０】
【図１】（ａ）は、本願発明の一実施形態に係る浴槽の取付構造の要部を示す断面図、（ｂ）は同上浴槽の取付構造の嵌合固定部分を拡大して示す断面図である。
【図２】同上浴槽の取付構造の全体を示す断面図である。
【図３】同上浴槽を設置した様子を模式的に示す斜視図である。
【図４】浴室エプロンを設けない従来の置き浴槽の構造例を示す斜視図である。
【符号の説明】
【００２１】
１    浴槽
２    床
３    洗い場用床パン
４    浴槽載置用床パン
５    浴槽底部収容凹部
６    固定用段部
７    浴槽壁部
８    外壁
９    段部
１０    パッキン
１１    壁
１２    湯水噴出部
１３    給水給湯接続部
１４    給水給湯管
１５    接続配管
【図１】
0004469323.tif 000002
【図２】
0004469323.tif 000003
【図３】
0004469323.tif 000004
【図４】
0004469323.tif 000005